【事件の表示】
　特願２０１２−１７３０７７「映像表示装置及び遠隔制御装置並びにその動作方法」拒絶査定不服審判事件〔平成２５年　３月２１日出願公開、特開２０１３−　５５６５０〕について、次のとおり審決する。
【結　論】
　本件審判の請求は、成り立たない。
【理　由】
第１　手続の経緯と本願発明
　本願は、平成２４年８月３日（パリ条約による優先権主張２０１１年９月５日、大韓民国）の出願であって、原審において平成２５年６月１３日付けで拒絶理由が通知され、同年９月１７日付けで手続補正され、同年１２月１２日付けで拒絶査定がなされ、これに対し、平成２６年４月１６日に拒絶査定不服の審判が請求されるとともに、同日付けで手続補正され、平成２７年２月３日付けで当審より拒絶理由が通知され、同年５月１１日付けで手続補正されたものである。
　
　本願の請求項１ないし４に係る発明は、平成２７年５月１１日付けで手続補正された特許請求の範囲の請求項１ないし４に記載された事項により特定されるものであるところ、そのうち、特許請求の範囲の請求項１に係る発明（以下「本願発明」という。）は、特許請求の範囲、明細書及び図面の記載からみて、その特許請求の範囲の請求項１に記載された以下のとおりのものと認める。
　
　「ＩＲブラスターメニュー画面を表示する段階と、
　前記画面に含まれる電子機器のいずれか一つに対する選択入力を受信する段階と、
　前記選択入力に基づいて、選択された電子機器の機器情報を遠隔制御装置に送信する段階と、を含み、
　前記選択入力を受信する段階は、
　前記遠隔制御装置から受信した個人情報に基づいてログインの制御をする段階を含み、
　前記選択された電子機器の機器情報の送信は、ＲＦ通信方式で行われることを特徴とする映像表示装置の動作方法。」
　
第２　引用発明及び周知技術
１　引用例及び引用発明
　当審の平成２７年２月３日付け拒絶理由に引用された本願の優先権主張の日前に日本国内において頒布された刊行物である特開２００７−１３９２９号公報（平成１９年１月１８日公開、以下「引用例」という。）には図面とともに以下の事項が記載されている。
イ．「【技術分野】
【０００１】
　本発明は、例えば制御信号を、テレビジョン受像機等の電子機器の制御に適用して好適な遠隔制御遠隔制御装置、及び遠隔制御遠隔制御装置と電子機器との間で信号の送受信を行う機器操作システム、ならびに遠隔制御遠隔制御方法に関する。」（３頁）
ロ．「【００１３】
　まず、本例の機器操作システムの構成例について図１を参照して説明する。テレビジョン受像機２は、図示しないアンテナより受信した放送波から信号を変換し、テレビジョン放送番組を受像する。また、外部に設置した周辺機器として、記録媒体にＤＶＤ規格に準拠した光ディスクを用いて記録・再生が可能なＤＶＤレコーダ４と、ビデオテープの記録・再生が可能なビデオデッキ５がある。それぞれの機器は、テレビジョン受像機２に設置された映像、音声の再生信号をテレビジョン受像機２に供給する第１の入力端子３０、第２の入力端子３１にケーブル接続してある。このように、テレビジョン受像機２にＤＶＤレコーダ４とビデオデッキ５とを接続し、遠隔制御装置１で操作可能としたシステム全体を、機器操作システム１００としてある。テレビジョン受像機２には、液晶の表示パネル２９と、表示パネル２９の両側に音声出力するスピーカ２６が設けてあり、テレビジョン放送、ＤＶＤレコーダ４、ビデオデッキ５から供給される画像、音声の再生を行う。また、テレビジョン受像機２には、選局、音量設定等の操作を行う操作部３４が設置してある。
【００１４】
　テレビジョン受像機２に対して、ユーザが遠隔操作に用いる遠隔制御装置１は、モードを切換えることでＤＶＤレコーダ４とビデオデッキ５についても遠隔操作を行うことができる。これらの遠隔制御装置１で遠隔操作を行う機器を、被制御対象機器と称する。遠隔制御装置１には、各種キーを備えた操作部１１と、操作対象となるモードを表示する液晶パネルを設けた表示部１４とを備える。また、赤外線信号を発光する発光素子１５ａと、赤外線信号を受光する受光素子１２ａとを備える。遠隔制御装置１の外部構成例、内部構成例、処理の詳細については後述する。
【００１５】
　ＤＶＤレコーダ４とビデオデッキ５には、遠隔制御装置１から発信される赤外線信号を受信する受信部４１，５１がそれぞれ備えてある。遠隔制御装置１には、切換えられた入力に対応して、被制御対象機器を切換えるための操作切換用のアップキー１１ｋ及びダウンキー１１ｍ（図２）が設置してある。ユーザは、操作切換用のアップキー１１ｋ又はダウンキー１１ｍを選択して操作を行う被制御対象機器を切換える。例えば、遠隔制御装置１の操作切換用のアップキー１１ｋを押して、例えば「ＤＶＤ」と切換えると、ユーザは遠隔制御装置１を用いてＤＶＤレコーダ４を遠隔操作することができる。」（５頁）
ハ．「【００２１】
　次に、本例の遠隔制御装置１の内部構成例について図３のブロック図を参照して説明する。操作部１１内の各キーが操作されると、遠隔制御装置１の内部制御を行うマイクロコンピュータ１７で検出される。メモリ１９には、例えば、書換え可能なＲＡＭ（Random Access Memory）を用いて、一時的にデータを保存する。また、メモリ１９には、例えば、読出しのみ可能なＲＯＭ（Read Only Memory）を用いて、処理プログラム、パラメータ、操作キーに対応するコード等が記憶してある。制御部であるマイクロコンピュータ１７は、キー操作の検出に対応したコードの遠隔制御信号を、送信部１５に供給する。
【００２２】
　送信部１５では、供給される遠隔制御信号を送信用に変調処理して、その変調された送信信号を送信部１５内の発光素子１５ａに供給して発光させる。こうして、送信部１５から、遠隔制御信号が送信される。一方、受信部１２が備えるフォトトランジスタ、フォトディテクタ等の受光素子１２ａで、赤外線信号を光電変換し、受信部１２で受信処理する。受信部１２が受信する受信信号にはテレビジョン受像機２から送信されるステータス信号がある。このステータス信号は、テレビジョン受像機２に設けてある入力端子に接続した機器を示す信号である。受信部１２で受信した受信信号は、マイクロコンピュータ１７に供給する。マイクロコンピュータ１７は、入力切換キー１１ｇの操作による遠隔制御信号の送信後に、ステータス信号を受信したことを判断すると、そのステータス信号で示された機器（被制御対象機器）の操作モードを設定する。操作モードの設定により、この遠隔制御装置１で遠隔制御できる機器である被制御対象機器が切換わる。即ち、同じキーが操作されても、そのキー操作により出力される遠隔制御信号により制御できる機器が変わることになる。但し、テレビジョン受像機２を操作するための一部のキー（例えば音量アップキー１１ｅ、音量ダウンキー１１ｆ、入力切換キー１１ｇなど）については、どの操作モードでも、テレビジョン受像機２の遠隔制御が行われる。そのモード設定を行うと、表示部１４に「ＴＶ」、「ＤＶＤ」等の切換えた被制御機器に関する情報（ここでは被制御機器の名称）を表示する。この表示は、メモリ１９の記憶データに基づいて行われる。
【００２３】
　次に、本例のテレビジョン受像機２の内部構成例について、図４のブロック図を参照して説明する。この例では液晶表示パネルを表示部に使用した例としてある。テレビジョン受像機２は、例えば、ＮＴＳＣ（National Television Standards Committee）方式の放送電波をアンテナ２１で受信し、チューナ２２で希望する放送局を選局する。そして、チューナ２２で選局した映像・音声信号を、入力切換を行う切換部２３に供給する。本例のテレビジョン受像機２は、チューナ２２とは別に２つの入力端子を設けてあり、テレビジョン受像機２に接続した外部機器からの映像・音声信号を第１の入力端子３０、第２の入力端子３１のいずれかから供給可能としてある。ユーザが視聴する際には、テレビジョン受像機２の入力を切換えて、第１の入力端子３０、第２の入力端子３１のいずれか又はチューナ２２の出力の選択を行うようにする。音声再生については、切換部２３より供給された音声信号を、オーディオ処理部２４で処理し、オーディオアンプ２５で音声信号を増幅して、２つのスピーカ２６で放音する。
【００２４】
　映像再生については、切換部２３より供給された信号を、映像処理部２７で処理し、表示駆動部２８に映像信号を供給する。表示駆動部２８は、液晶を駆動する液晶コントローラ等から成り、映像信号に基づいて液晶画素に対する駆動信号を発生する。
【００２５】
　外部に設置したＤＶＤレコーダ４、ビデオデッキ５からの映像・音声信号は、それぞれ第１の入力端子３０、第２の入力端子３１をインタフェースとして、テレビジョン受像機２に供給される。ＭＰＵ（Micro Processing Unit）等の演算回路で構成してある制御部３２は、テレビジョン受像機２の処理を制御し、プログラム、パラメータ等を保存してあるメモリ３８のメモリ管理を行う。切換部２３での切換えについても、制御部３２が制御する。また、メモリ３８は、例えば書き換え可能なＲＡＭ（Random Access Memory）であり、入力に対応する接続機器を下記のようにテーブルで管理する。
　入力　　　接続機器
　入力１　　ＤＶＤレコーダ４
　入力２　　ビデオデッキ５
【００２６】
　テーブルを設定するため、例えばテレビジョン受像機のＧＵＩ表示に対応したユーザのキー操作による入力により、接続機器の対応テーブルを作り、遠隔制御装置１で取り込む。また、メモリ３８には、直前までのユーザ操作や、放送画像を記憶するようにしてもよい。テレビジョン受像機２の前面には、各種操作キーを備えた操作部３４を備える。また、遠隔制御装置１から供給される赤外線信号を受信する受信部３５を備えて、受信した赤外線信号を復調処理して、制御部３２に供給し、処理を行う。
【００２７】
　本例のテレビジョン受像機２は、遠隔制御装置１に対して、入力端子に接続された機器情報の信号であるステータス信号を、赤外線信号として無線送信する機能を有する。即ち、制御部３２は、入力切換を行う切換部２３での切換えを実行した際に、その切換えた入力端子に接続された機器をメモリ３８のテーブルから判断し、その判断した機器を示す情報であるステータス信号を送信部３６に供給する。送信部３６では、供給されるステータス信号を赤外線信号として送信する。」（６〜８頁）
ニ．「【００２８】
　次に、本例の遠隔制御装置１の動作モードの切換え処理の例について、図５のフローチャートを参照して説明する。図５のフローチャートは、右側が遠隔制御装置１での処理を示し、左側がテレビジョン受像機２での処理を示す。テレビジョン受像機２は視聴中であるとする。まず、遠隔制御装置１の入力切換キー１１ｇが操作されたことをマイクロコンピュータ１７が判別すると（ステップＳＴ１）、該当する入力切換を指示する遠隔制御信号を送信する（ステップＳＴ２）。この遠隔制御信号の受信をテレビジョン受像機２の制御部３２が判別すると（ステップＳＴ１１）、制御部３２は、テレビジョン受像機２の入力を指示された状態に選択する（ステップＳＴ１２）。そして、テレビジョン受像機２の制御部３２は、切換えた入力端子に接続してある外部機器を示すステータス信号を生成して、そのステータス信号を送信部３６から送信させる（ステップＳＴ１３）。
【００２９】
　遠隔制御装置１のマイクロコンピュータ１７では、ステータス信号の受信があるか否か判断し（ステップＳＴ３）、ステップＳＴ２での遠隔制御信号の送信からある程度の時間が経過してもステータス信号が受信できない場合には、エラー処理を行う（ステップＳＴ４）。エラー処理としては、例えば表示部１４で、文字などでエラーを表示させる。
【００３０】
　ステップＳＴ３でステータス信号を受信したことをマイクロコンピュータ１７が判断すると、マイクロコンピュータ１７は、その受信したステータス信号で指示された外部機器を遠隔制御できる動作モードを設定する（ステップＳＴ５）。遠隔制御装置１は、接続される可能性のある様々な機器のキーコードをプリセット又は学習によって保持することで、モードの切換えにより対応する種々の電子機器のコードを発信できる。なお、エラー表示としては、文字を点滅させる等の処理をしても良い。
【００３１】
　ここで、ＧＵＩメニューによる機器切換の例を、図６を参照して説明する。図６には、テレビジョン受像機２の表示パネル２９にＧＵＩメニューを表示させている。ＧＵＩメニューでは、入力切換に加えて、選局操作等が行える。今、メニューＭ１はＣＳ放送の選局、メニューＭ２は外部入力の切換設定を行うメニューである。ユーザは、まずメニューＭ２の外部入力切換メニューを選択する。選択操作は、方向指示キー１１ｈと決定キー１１ｉの操作により、カーソルＣ１が上下左右に移動して決定できる。テレビジョン受像機２に設けてある外部入力として、例えば第１〜２の入力がある場合、予め、第１の入力に「ＤＶＤ（ＤＶＤレコーダ４）」、第２の入力に「ＶＴＲ（ビデオデッキ５）」が設定してある。このとき、例えば操作する電子機器をＤＶＤレコーダ４とする場合、ユーザは方向指示キー１１ｈでカーソルＣ１を移動させて、決定キー１１ｉの操作で入力１（ＤＶＤ）を決定する。このとき、遠隔制御装置１からテレビジョン受像機２に対して遠隔制御信号が送信される。そして、テレビジョン受像機２は、第１の入力に切換え、第１の入力に対応するステータス信号を遠隔制御装置１に送信する。遠隔制御装置１は、このステータス信号を受信し、自身のモードを「ＤＶＤ」に切換えると共に、表示部１４に「ＤＶＤ」と表示させる。このようにして、ユーザは、ＤＶＤレコーダ４の操作を行うことができる。」（８頁）
ホ．「【００４２】
　また、上述した実施の形態では、赤外線信号を無線送受信する遠隔制御装置に適用したが、その他の信号方式の高周波無線信号を送受信してもよい。あるいは、通信ケーブルにより有線接続した遠隔制御装置にも適用可能である。」（１０頁）
　上記引用例の記載及び図面並びにこの分野における技術常識を考慮すると、上記ロ．の【００１３】における「本例の機器操作システムの構成例について図１を参照して説明する。テレビジョン受像機２は、図示しないアンテナより受信した放送波から信号を変換し、テレビジョン放送番組を受像する。また、外部に設置した周辺機器として、記録媒体にＤＶＤ規格に準拠した光ディスクを用いて記録・再生が可能なＤＶＤレコーダ４と、ビデオテープの記録・再生が可能なビデオデッキ５がある。それぞれの機器は、テレビジョン受像機２に設置された映像、音声の再生信号をテレビジョン受像機２に供給する第１の入力端子３０、第２の入力端子３１にケーブル接続してある。このように、テレビジョン受像機２にＤＶＤレコーダ４とビデオデッキ５とを接続し、遠隔制御装置１で操作可能としたシステム全体を、機器操作システム１００としてある。」との記載、及び図１によれば、引用例の機器操作システム（１００）は、テレビジョン受像機（２）と、ＤＶＤレコーダ（４）及びビデオデッキ（５）と、遠隔制御装置（１）とからなる。
　また、上記ニ．の【００３１】における「ＧＵＩメニューによる機器切換の例を、図６を参照して説明する。図６には、テレビジョン受像機２の表示パネル２９にＧＵＩメニューを表示させている。ＧＵＩメニューでは、入力切換に加えて、選局操作等が行える。」との記載、及び図６における、ＧＵＩメニューによる機器切換の例に着目すれば、前述のテレビジョン受像機（２）は、（α）ＧＵＩメニューを表示している。
　また、上記ニ．の【００２８】における「遠隔制御装置１の動作モードの切換え処理の例について、図５のフローチャートを参照して説明する。図５のフローチャートは、右側が遠隔制御装置１での処理を示し、左側がテレビジョン受像機２での処理を示す。テレビジョン受像機２は視聴中であるとする。まず、遠隔制御装置１の入力切換キー１１ｇが操作されたことをマイクロコンピュータ１７が判別すると（ステップＳＴ１）、該当する入力切換を指示する遠隔制御信号を送信する（ステップＳＴ２）。この遠隔制御信号の受信をテレビジョン受像機２の制御部３２が判別すると（ステップＳＴ１１）、制御部３２は、テレビジョン受像機２の入力を指示された状態に選択する（ステップＳＴ１２）。」との記載、同ニ．の【００３１】における「ＧＵＩメニューでは、・・・ユーザは、まずメニューＭ２の外部入力切換メニューを選択する。選択操作は、方向指示キー１１ｈと決定キー１１ｉの操作により、カーソルＣ１が上下左右に移動して決定できる。テレビジョン受像機２に設けてある外部入力として、例えば第１〜２の入力がある場合、予め、第１の入力に「ＤＶＤ（ＤＶＤレコーダ４）」、第２の入力に「ＶＴＲ（ビデオデッキ５）」が設定してある。このとき、例えば操作する電子機器をＤＶＤレコーダ４とする場合、ユーザは方向指示キー１１ｈでカーソルＣ１を移動させて、決定キー１１ｉの操作で入力１（ＤＶＤ）を決定する。このとき、遠隔制御装置１からテレビジョン受像機２に対して遠隔制御信号が送信される。」との記載、図５及び図６によれば、前述の遠隔制御装置（１）は、テレビジョン受像機（２）に対して遠隔制御信号を送信し、方向指示キー（１１ｈ）と決定キー（１１ｉ）の操作によりＧＵＩメニューに表示されるＤＶＤレコーダ（４）及びビデオデッキ（５）のうちＤＶＤレコーダ（４）を決定している。ここで、テレビジョン受像機（１）から見れば、遠隔制御装置（１）が、テレビジョン受像機（２）に対して遠隔制御信号を送信し、ＧＵＩメニューに表示されるＤＶＤレコーダ（４）及びビデオデッキ（５）のうちＤＶＤレコーダ（４）を決定する遠隔制御信号を送信しているから、テレビジョン受像機（１）は、（β）ＧＵＩメニューに表示されるＤＶＤレコーダ（４）及びビデオデッキ（５）のうちＤＶＤレコーダ（４）を決定する遠隔制御信号を受信しているということができる。
　また、上記ニ．の【００２８】における「（テレビジョン受像機２）の制御部３２は、テレビジョン受像機２の入力を指示された状態に選択する（ステップＳＴ１２）。そして、テレビジョン受像機２の制御部３２は、切換えた入力端子に接続してある外部機器を示すステータス信号を生成して、そのステータス信号を送信部３６から送信させる（ステップＳＴ１３）。」との記載、同ニ．の【００３１】における「決定キー１１ｉの操作で入力１（ＤＶＤ）を決定する。このとき、遠隔制御装置１からテレビジョン受像機２に対して遠隔制御信号が送信される。そして、テレビジョン受像機２は、第１の入力に切換え、第１の入力に対応するステータス信号を遠隔制御装置１に送信する。遠隔制御装置１は、このステータス信号を受信し、自身のモードを「ＤＶＤ」に切換えると共に、表示部１４に「ＤＶＤ」と表示させる。このようにして、ユーザは、ＤＶＤレコーダ４の操作を行うことができる。」との記載、図５及び図６によれば、テレビジョン受像機（２）は、（γ）ＤＶＤレコーダ（４）を決定する遠隔制御信号に基づいて、決定されたＤＶＤレコーダ（４）を示すステータス信号を遠隔制御装置（１）に送信している。ここで、上記ハ．の【００２７】における「テレビジョン受像機２は、遠隔制御装置１に対して、入力端子に接続された機器情報の信号であるステータス信号を、赤外線信号として無線送信する機能を有する。」との記載によれば、前述のＤＶＤレコーダ（４）を示すステータス信号は、ＤＶＤレコーダ（４）の機器情報の信号ということができる。また、前述の決定されたＤＶＤレコーダ（４）の機器情報の信号を遠隔制御装置（１）に送信するための通信方式は、赤外線方式で行われているということができる。
　そして、上記（α）〜（γ）より、引用例には、テレビジョン受像機（１）の動作方法について記載されているということができる。
　したがって、上記引用例には、以下の発明（以下「引用発明」という。）が記載されているものと認められる。
　
　「ＧＵＩメニューを表示する段階と、
　前記ＧＵＩメニューに表示されるＤＶＤレコーダ（４）及びビデオデッキ（５）のうちＤＶＤレコーダ（４）を決定する遠隔制御信号を受信する段階と、
　前記ＤＶＤレコーダ（４）を決定する遠隔制御信号に基づいて、決定されたＤＶＤレコーダ（４）の機器情報の信号を遠隔制御装置（１）に送信する段階と、を含み、
　前記決定されたＤＶＤレコーダ（４）の機器情報の信号の送信は、赤外線方式で行われるテレビジョン受像機（２）の動作方法。」
　
２　周知例及び周知技術
（Ａ）周知例１
　当審の平成２７年２月３日付け拒絶理由に引用された本願の優先権主張の日前に日本国内において頒布された刊行物である特開２０１０−１６５８３号公報（平成２２年１月２１日公開、以下「周知例１」という。）には図面とともに以下の事項が記載されている。
　
イ．「【技術分野】
【０００１】
　本発明は視聴装置に関するものである。」（２頁）
　
ロ．「【０００４】
　一方、最近の情報家電を含む各種の情報機器においては、ユーザである利用者を識別する為のＩＤを持ち、当該ＩＤ毎にそれぞれ対応した、各種のプロファイル情報を設定、利用するものが知られている。即ち、利用者個人の趣味や嗜好に合わせた利用者毎のプロファイル情報を用いたものである。利用者毎のプロファイル情報は、デザインや必要な機能を整理したＧＵＩ（Ｇｒａｐｈｉｃ  Ｕｓｅｒ  Ｉｎｔｅｒｆａｃｅ）メニューの状態設定情報、あるいは、利用者に適した情報を提供する為のキーワード情報などである。この利用者毎のプロファイル情報を予め設定しておく。そして、情報機器の利用時に現在の利用者を、名称、記号等のＩＤにより識別する事で、プロファイル情報を呼び出す。そして、情報機器の持つ各種のサービス機能に利用していた。利用者を識別するために、情報機器を利用開始する際に、利用者に何らかのログイン操作を行わせていた。何らかのログイン操作とは、例えば、利用者個人の持つＩＤやパスワードを入力したり、あるいは表示画面上に自分に割り当てられたボタンを選択して押させたり、あるいは、リモコン装置に配置されたユーザボタンを押させるなどの操作であった。」（２頁）
　
（Ｂ）周知例２
　当審の平成２７年２月３日付け拒絶理由に引用された本願の優先権主張の日前に日本国内において頒布された刊行物である特開２００５−３３２１１７号公報（平成１７年１２月２日公開、以下「周知例２」という。）には図面とともに以下の事項が記載されている。
　
ハ．「【技術分野】
【０００１】
　本発明は、情報処理装置および方法、記録媒体、並びにプログラムに関し、特に、機器の管理者を明確にし、管理者が許可したユーザのみが、その機器を使用することができるようにした情報処理装置および方法、記録媒体、並びにプログラムに関する。」（３頁）
　
ニ．「【００３０】
　図１は、本発明を適用したホームネットワークシステムの構成例を示すブロック図である。このシステムは、デジタルテレビジョン受像機（DTV：Digital Television）１、DVHS（Digital Video Home System）２、HDD（Hard Disc Drive）３、およびHDD４で構成されており、各機器は、IEEE1394シリアルバス５を介して相互に接続されている。
【００３１】
　・・・DTV１は、ユーザがどの機器を使用することができるかを管理しておくためのユーザ機器管理テーブルを作成し、それを内蔵するFLASH ROM２６（図３）に記憶する。
【００３２】〜【００３５】（略）
【００３６】
　図１の説明に戻る。ユーザは、LCD１１に表示されたGUIに基づいて、DTV１に付属するリモートコマンダ１２を操作し、IEEE1394シリアルバス５に接続されているDVHS２、HDD３、またはHDD４が実行する処理を指示することができる。DTV１は、ユーザからの指示に基づいて、制御信号を生成し、IEEE1394シリアルバス５を介して、各機器に、その制御信号を送信する。DVHS２は、受信した制御信号に基づいて、例えば、コンテンツの記録または再生等の処理を行う。HDD３およびHDD４は、受信した制御信号に基づいて、例えば、コンテンツの書き込みまたは読み出し等の処理を行う。」（７〜８頁）
　
ホ．「【００４５】
　ユーザ認証部４１は、ユーザを特定するためのユーザ情報を取得し、そのユーザが既に登録されているか否か（テーブル管理部４７により、ユーザ機器管理テーブルで管理されているユーザであるか否か）の認証を行う。登録されているユーザの場合、ユーザ認証部４１は、個別設定部４２に、登録ユーザの個別設定情報を読み出すように指示する。・・・
【００４６】
　なお、ユーザ情報を取得する方法としては、例えば、DTV１の電源投入時に、ユーザがログインするか、携帯電話機１の赤外線通信やBluetooth（登録商標）などの無線通信により、個人情報をDTV１に送信するか、あるいは、専用装置を用いて指紋認証を行うなどが考えられるが、ここでは、特に、その方法は問わない。」（８〜９頁）
　
（Ｃ）周知例３
　当審の平成２７年２月３日付け拒絶理由に引用された本願の優先権主張の日前に日本国内において頒布された刊行物である特開２０００−３０８１６４号公報（平成１２年１１月２日公開、以下「周知例３」という。）には図面とともに以下の事項が記載されている。
　
ヘ．「【０００１】
【発明の属する技術分野】本発明は、携帯電話端末を用いて、被制御機器の遠隔操作を行う遠隔制御システムに関するものである。」（３頁３欄）
　
ト．「【００４７】図１は本実施形態の遠隔制御システムの概略構成を示すブロック図である。図１において、１は携帯電話端末、２は携帯電話端末１により遠隔制御される被制御機器としてのテレビ受信機である。ここで、携帯電話端末１は、指示入力に応じた赤外線リモコン信号を送信して、テレビ受信機２における各種制御を行うことを可能としている。」（５頁８欄〜６頁９欄）
　
チ．「【００５８】ここで、例えば利用者がテレビ受信機２へのスケジュール登録を行おうとしている場合、登録を希望する日時、項目の入力等、必要な情報が揃ったと判断されるまで、表示部１５を通してユーザに「日付は？」、「時間は？」、「登録内容は？」といったように、ガイド表示を行いながら、必要情報の入力を対話的に促す（ステップ５，６）。
【００５９】被制御機器制御機能管理部１４は、続いてＩＤ取得部１８を通じて、当該携帯電話端末１固有のＩＤ番号である電話番号を、メモリ１６内の自電話番号保持部１６ｂより取得し（ステップ８）、前記制御内容コードに付加することにより、テレビ受信機２への送信コードを作成する。該送信コードは、テレビ受信機２に適合する赤外線信号として送信される（ステップ９）。
【００６０】一方、図５は本実施形態の遠隔制御システムにおけるテレビ受信機２の処理を示すフローチャートである。携帯電話端末１より赤外線信号を受信する（ステップ１）と、受信信号解析部２２において、指示制御内容を取得する（ステップ２）とともに、信号送信端末のＩＤ番号を取り出す。該ＩＤ番号は、メモリ２３中の利用者登録テーブルと照合されて、信号送信者（利用者）が特定される（ステップ３）。」（６頁１０欄）
　
（Ｄ）したがって、上記周知例１ないし３の上記記載にみられるように、「映像表示装置を遠隔制御装置から制御する場合に、個人に基づいた映像表示を行うために、受信した個人情報に基づいてログインの制御をすること」は、本願の優先権主張の日前、周知の技術（以下「周知技術」という。）ということができる。
　
第３　対比
　本願発明と引用発明とを対比する。 
ａ．上記引用例の上記ロ．の【００１４】における「遠隔制御装置１には、・・・赤外線信号を発光する発光素子１５ａと、赤外線信号を受光する受光素子１２ａとを備える。」との記載、同ロ．の【００１５】における「ＤＶＤレコーダ４とビデオデッキ５には、遠隔制御装置１から発信される赤外線信号を受信する受信部４１，５１がそれぞれ備えてある。」との記載、上記ニ．の【００３０】における「（遠隔制御装置１の）マイクロコンピュータ１７は、その受信したステータス信号で指示された外部機器を遠隔制御できる動作モードを設定する・・・。遠隔制御装置１は、接続される可能性のある様々な機器のキーコードをプリセット又は学習によって保持することで、モードの切換えにより対応する種々の電子機器のコードを発信できる。」との記載によれば、引用例の遠隔制御装置（１）は、ステータス信号を受信し、ＤＶＤレコーダ（４）とビデオデッキ（５）とに適合した赤外線、すなわち、ＩＲ（Infra Red）信号をＤＶＤレコーダ（４）とビデオデッキ（５）との受信部に送信する機能を備えるものである。一方、本願明細書段落【００１５】には、「ＩＲブラスター機能は、主に、所定フォーマットの制御信号を受信し、周辺機器の制御に適合したＩＲ信号を周辺機器の受光部に送信する機能のことを指す。」との記載がある。したがって、引用発明の「遠隔制御装置（１）」は、ＩＲブラスター機能を備えているということができる。
　そうすると、引用発明の「ＧＵＩメニュー」は、上記引用例の上記ニ．の【００３１】における「ＧＵＩメニューによる機器切換の例・・・テレビジョン受像機２は、第１の入力に切換え、第１の入力に対応するステータス信号を遠隔制御装置１に送信する。遠隔制御装置１は、このステータス信号を受信し、自身のモードを「ＤＶＤ」に切換える」との記載、及び図６によれば、遠隔制御装置（１）に対して、前述のＩＲブラスター機能のモード切換えをするために用いるメニュー画面であるから、「ＩＲブラスターメニュー画面」ということができる。
ｂ．引用発明の「ＧＵＩメニューに表示される」は、ＧＵＩメニューに表示された映像情報にＤＶＤレコーダ（４）とビデオデッキ（５）とが含まれるから、上記ａ．の対比を考慮すると、「ＩＲブラスターメニュー画面に含まれる」ということができる。
ｃ．引用発明の「ＤＶＤレコーダ（４）、ビデオデッキ（５）」及び「テレビジョン受像機（１）」は、本願発明の「電子機器」及び「映像表示装置」にそれぞれ対応する構成であり両者の間に実質的な差異はない。
ｄ．引用発明の「ＤＶＤレコーダ（４）を決定する遠隔制御信号」は、ＤＶＤレコーダ（４）及びビデオデッキ（５）のうちＤＶＤレコーダ（４）を決定する、すなわち、ＤＶＤレコーダ（４）を選択入力することにより遠隔制御信号を遠隔制御装置（１）に送信するから、上記ｃ．の対比を考慮すると、「電子機器のいずれか一つに対する選択入力」ということができる。
ｅ．引用発明の「機器情報の信号」は、「機器情報」ということができる。
ｆ．引用発明の「赤外線方式」と、本願発明の「ＲＦ通信方式」とは、後述する相違点を除いて、「特定の通信方式」という点で一致する。
　
　したがって、本願発明と引用発明は、以下の点で一致ないし相違している。 
　
（一致点） 
　「ＩＲブラスターメニュー画面を表示する段階と、
　前記画面に含まれる電子機器のいずれか一つに対する選択入力を受信する段階と、
　前記選択入力に基づいて、選択された電子機器の機器情報を遠隔制御装置に送信する段階と、を含み、
　前記選択された電子機器の機器情報の送信は、特定の通信方式で行われる映像表示装置の動作方法。」
（相違点１）
　「選択入力を受信する段階」に関し、
　本願発明は、「前記選択入力を受信する段階は、前記遠隔制御装置から受信した個人情報に基づいてログインの制御をする段階を含む」のに対し、引用発明は、その様な構成を備えていない点。
（相違点２）
　「特定の通信方式」に関し、
　本願発明は、「ＲＦ通信方式」であるのに対し、引用発明は、赤外線方式であり、「ＲＦ通信方式」でない点。
第４　判断
　そこで、まず、上記相違点１について検討する。
　上記「第２　２　周知例及び周知技術」の項の（Ｄ）のとおり、「映像表示装置を遠隔制御装置から制御する場合に、個人に基づいた映像表示を行うために、受信した個人情報に基づいてログインの制御をすること」は周知の技術（周知技術）である。そして、映像表示装置において、個人に基づいた映像表示を行う課題は周知の課題である。
　そうすると、上記周知技術に接した当業者であれば、個人に基づいた映像表示を行うために、引用発明の「遠隔制御信号を受信する段階」を、「遠隔制御装置から受信した個人情報に基づいてログインの制御をする段階を含む」構成とすること、すなわち、上記相違点１に係る構成とすることは、容易に想到し得るものである。
　次に、上記相違点２について検討する。
　上記引用例の上記ホ．の【００４２】における「赤外線信号を無線送受信する遠隔制御装置に適用したが、その他の信号方式の高周波無線信号を送受信してもよい。」との記載によれば、テレビジョン受像機（２）と遠隔制御装置（１）との間の通信方式は、赤外線方式、あるいは高周波無線方式、すなわち、ＲＦ通信方式のいずれでもよいものである。
　そうすると、引用発明の「赤外線方式」に換え、本願発明のように「ＲＦ通信方式」とすることは、当業者が適宜選択し得るものである。
　
　そして、本願発明の作用効果も、引用発明及び周知技術から当業者が容易に予測できる範囲のものである。
　
第５　むすび
　以上のとおり、本願発明は、引用発明及び周知技術に基づいて当業者が容易に発明をすることができたものであるから、特許法第２９条第２項の規定により特許を受けることができない。
　したがって、本願はその余の請求項について論及するまでもなく拒絶すべきものである。
　よって、結論のとおり審決する。